(57)【要約】【課題】本発明は、新聞印刷に見られるように、稼動と不稼動が数時間おきに繰り返されるような印刷機においても、噴霧装置のノズル部分の目詰まりを効果的に防止できるスプレー式湿し水供給装置および当該装置を備えたオフセット印刷システムを提供することを目的とする。【解決手段】オフセット印刷機の刷版面または刷版に至るローラーの周面に、湿し水をノズルから噴霧して供給するスプレー式湿し水供給装置であって、噴霧装置と、当該噴霧装置に湿し水を供給するための供給管と当該噴霧装置との間に、供給側から順にストレーナーおよび殺菌装置と、を備えていることを特徴とするスプレー式湿し水供給装置。【選択図】図１
2014162150.tif 000002
【特許請求の範囲】
【請求項１】
オフセット印刷機の刷版面または刷版に至るローラーの周面に、湿し水をノズルから噴霧して供給するスプレー式湿し水供給装置であって、
噴霧装置と、当該噴霧装置に湿し水を供給するための供給管と当該噴霧装置との間に、供給側から順にストレーナーおよび殺菌装置と、を備えていることを特徴とするスプレー式湿し水供給装置。
【請求項２】
前記殺菌装置が、紫外線ランプからなる殺菌装置であることを特徴とする請求項1記載のスプレー式湿し水供給装置。
【請求項３】
請求項１または２記載のスプレー式湿し水供給装置を設けたオフセット印刷システム。
【発明の詳細な説明】
【技術分野】
【０００１】
本発明は、オフセット印刷機の刷版面又は刷版に至るローラーの周面に、湿し水をノズルから噴霧して供給するスプレー式湿し水供給装置およびその装置を備えたオフセット印刷システムに関する。
【背景技術】
【０００２】
オフセット印刷は、本質的に水と油が混じり合わない性質を利用した印刷方式であり、オフセット印刷の版面は、水を受容し油性インキを反発する範囲である非画像部と、水を反発し油性インキを受容する範囲である画像部からなる。非画像部の形成に用いられる水は湿し水と呼ばれるが、非画像部と画像部との間に界面化学的な差を拡大し非画像領域のインキ反発性と画像領域のインキ受容性とを増大させるために、湿し水には様々な化学物質が添加され、供されている。
【０００３】
オフセット印刷は前記のような機構で印刷が行われるため、常に適正な量の湿し水を均一に版面に供給する必要があり、そのためにオフセット印刷機には湿し水供給装置が備えられている。湿し水供給装置には様々な種類があるが、とりわけ、新聞印刷に用いられるオフセット新聞輪転機には、スプレー式湿し水供給装置を備えるのが一般的である。
【０００４】
スプレー式湿し水供給装置に用いられる湿し水の噴霧装置（以下「噴霧装置」ともいう。）は、湿し水と圧力エアーを混合させて噴霧する二流体式と、加圧された湿し水が押し出され噴霧されるいわゆる一流体式の噴霧装置があるが、現在では一流体式が主流である。この一流体式の噴霧装置は、加圧された湿し水が噴霧装置内に供給され、電磁開閉弁の作動によって止水・通水を交互に行い、電磁開閉弁の先端側に取り付けられたノズルから、湿し水を断続的に噴霧させるようになっている。
【０００５】
噴霧装置のノズルは目が細かいため、インキのミストの付着や湿し水の塩分の析出などにより目詰まりを起こす危険性を常にはらんでいる。ノズル部で目詰まりを起こすと、版面に適正な量で均一な湿し水の供給ができなくなり、それに伴って印刷不良などの事故が起きることがあった。このような事故を回避するために、特許文献１のように様々な工夫をしたノズル形状の湿し水供給装置が考案されてきた。
【０００６】
一方、新聞印刷では朝刊や夕刊といったように決められた時間に迅速に印刷物を作製しなければならない。そのため印刷機の稼働時間が限られ、稼働していない時間が数時間にわたることが一般的である。この不稼働時間の間、噴霧装置部分には湿し水が静水として留まっていることになる。この湿し水中で、細菌、カビ等の菌類が繁殖し、ノズルの目詰まりの要因のひとつとなっていた。また、印刷機の稼動時には湿し水は、普通は冷却されて供給されるので、不稼動時に比べ菌類の繁殖は少ないが、不稼動時には冷却されることがなく、室温下で滞留するので、夏場など室温が上昇する場合には、特に菌類が繁殖しやすくなると考えられる。
【０００７】
特許文献２には、オフセット印刷機の湿し水などを循環浄化するシステムとして、貯水タンクに循環ラインを接続し、この循環ラインにカートリッジフィルター、マイクロフィルターおよび流水殺菌灯などを介在させることにより、使用機器へ水を供給・回収する貯水タンクについて、該タンク内の水を循環ラインに通してカートリッジフィルター、マイクロフィルターおよび流水殺菌灯などによって常に浄化および活性化している使用水の循環浄化システムが開示されている。
【０００８】
特許文献３には、紫外線を照射する紫外線照射装置を備えたことを特徴とする湿し水循環処理装置が開示されている。
【０００９】
さらに、特許文献４には、光触媒をコーティングした光触媒フィルターと同光触媒フィルターに紫外線を照射する光源とを備えた光触媒装置を設置した湿し水の再生装置が開示されている。
【００１０】
【特許文献１】特開２００５−１５３５１３号公報
【特許文献２】実登３０６３３６４号公報
【特許文献３】特開２００３−２１１６２４号公報
【特許文献４】特開２００８−２６５０２１号公報
【発明の開示】
【発明が解決しようとする課題】
【００１１】
特許文献２〜４は、何れも湿し水を循環使用することを前提とし、湿し水はスプレー式ではなく水舟を介して印刷機へ供給される。従って、湿し水を浄化するための装置（特許文献２の殺菌灯、特許文献３の紫外線照射装置、特許文献４の光触媒装置）は、それぞれにその都合が良いと思われる位置に設置されているに過ぎない。すなわち、これらの装置は、印刷機への湿し水供給装置である水舟の直前に設置されているわけではなく、また、その必然性もない。
【００１２】
さらに、特許文献２〜４の湿し水を浄化するための装置は、スプレー式湿し水供給装置を前提にしたものではなく、印刷機の不稼動時に配管に溜まった湿し水に対しては効果がないため、噴霧装置のノズル部分の目詰まりを防止することはできなかった。  
【００１３】
従って、本発明は、新聞印刷に見られるように、稼動と不稼動が数時間おきに繰り返されるような印刷機においても、噴霧装置のノズル部分の目詰まりを効果的に防止できるスプレー式湿し水供給装置および当該装置を備えたオフセット印刷システムを提供することを目的とする。
【課題を解決するための手段】
【００１４】
本発明者は、鋭意検討した結果、オフセット印刷システムのスプレー式湿し水供給装置において、ストレーナーと殺菌装置とを適切な位置に配置することによって上記課題を解決できることを見出し、本発明を完成した。
【００１５】
すなわち、本発明は
（１）  オフセット印刷機の刷版面または刷版に至るローラーの周面に、湿し水をノズルから噴霧して供給するスプレー式湿し水供給装置であって、
噴霧装置と、
当該噴霧装置に湿し水を供給するための供給管と当該噴霧装置との間に、供給側から順にストレーナーおよび殺菌装置と、
を備えていることを特徴とするスプレー式湿し水供給装置、
（２）  前記殺菌装置が、紫外線ランプからなる殺菌装置であることを特徴とする（１）記載のスプレー式湿し水供給装置、
（３）  請求項１または２記載のスプレー式湿し水供給装置を設けたオフセット印刷システム、
である。
【００１６】
印刷機の不稼動時から稼動する際に、噴霧装置に供給される湿し水中の生きた菌類の数を減らすことができれば、噴霧装置中の生きた菌類数を減らすことができるため、ノズル部分で繁殖する菌類数が減少する。その結果、ノズル部分で目詰まりを防止できるものと考えられる。従って、殺菌装置を噴霧装置の直前に設置し、ストレーナーは殺菌装置の前に設置するのが良いと推論できる。
すなわち、稼動と不稼動が繰り返される場合には、生きた菌類がノズル部分への付着、増殖、そして蓄積が繰り返されることになるが、その蓄積量は不稼動時の殺菌装置と噴霧装置との間に存在する湿し水中の生きた菌類の数に大きく依存すると考えられるので、その部分の湿し水量を減らすことが重要といえる。
【発明の効果】
【００１７】
本発明のスプレー式湿し水供給装置では、湿し水が、ストレーナーによりごみが除去され、さらに殺菌直後に噴霧装置に供給されるため、ノズル先端部分での菌類の繁殖が抑制され、新聞印刷などのような長い不稼働時間を伴う印刷現場においても、噴霧装置の詰まりを防止することができる。これは、以下のように説明できる。
すなわち、本発明では、噴霧装置の直前に殺菌装置を設置するため、印刷機の停止時には殺菌された直後の湿し水が殺菌装置と噴霧装置の間にのみに滞留する。
その滞留している湿し水の量が少なく、また殺菌されているので、その中で生存している菌類の絶対数が少ない。従って、不稼動の間に繁殖する菌類も少なくなり、ノズル部分での菌の繁殖も少なくなる。殺菌装置より前にある湿し水は、再稼働時には、殺菌されてから噴霧装置に供給されるのでノズルへの影響は少ない。
【図面の簡単な説明】
【００１８】
【図１】本発明のスプレー式湿し水供給装置を設けたオフセット印刷システム（両面印刷）の概念図である。
【図２】本発明に使用する殺菌装置の一例である。
【発明を実施するための最良の形態】
【００１９】
本発明のスプレー式湿し水供給装置は、オフセット印刷機の刷版面または刷版に至るローラーの周面に、湿し水をノズルから噴霧して供給するスプレー式湿し水供給装置であって、噴霧装置と、当該噴霧装置に湿し水を供給するための供給管と当該噴霧装置との間に、供給側から順にストレーナーおよび殺菌装置と、を備えていることを特徴とする。
【００２０】
図１は、本発明のスプレー式湿し水供給装置を設けたオフセット印刷システム（両面印刷）の概念図である。湿し水供給装置５からの湿し水は、配管を通してストレーナー２、次いで殺菌装置１を経て噴霧装置３のノズル（図示せず）から印刷機本体の湿し水供給ローラー４に供給される。図のように、殺菌装置１は湿し水を供給するための供給管のうち最も下流側である噴霧装置３にできるだけ近いところに設けることが望ましい。
【００２１】
印刷機の停止時には、殺菌された直後の湿し水が殺菌装置１と噴霧装置３の間に滞留するが、殺菌装置１を噴霧装置３に近い場所に設けることにより、その湿し水の量を最少にできる。その滞留している湿し水は殺菌され、かつ量が少ないので、その中で生きている菌類の絶対数は少なく、不稼動中に繁殖したとしても、殺菌装置１が噴霧装置３から離れた場所に設置されている場合と比較して、菌類の増殖数はかなり抑制される。
【００２２】
印刷機が再稼動された場合には、殺菌装置１と噴霧装置３の間に滞留した湿し水が噴霧装置３に供給されるが、前述したようにそこで増殖した菌類の絶対数が少ないため、生きた菌類のノズル部分への供給量は少ない。殺菌装置１より前にある湿し水は殺菌されてから噴霧装置３に供給されるので、そこからは、生きた菌類はほとんど噴霧装置３には供給されない。
【００２３】
なお、殺菌装置の具体的な設置場所は噴霧装置の直前が好ましいが、用いる印刷機やスプレー式湿し水供給装置の形状、それらの相対位置等によって、適宜その位置を決めて設置すればよい。
【００２４】
図２は、本発明に使用する殺菌装置の一例であるが、湿し水導入部７から入った湿し水が紫外線ランプ６の周りを通過して湿し水導出部８から噴霧装置に供給される。もちろん、図示した殺菌装置は単なる例であって、殺菌効果を効率的にするために流路を工夫したり、光触媒を組み込むなど、種々の形態があり得る。
【産業上の利用可能性】
【００２５】
本発明のスプレー式湿し水供給装置を用いることで、ノズル部分の目詰まりを防止することができる。
【符号の説明】
【００２６】
１    殺菌装置
２    ストレーナー
３    噴霧装置
４    湿し水供給ローラー
５    湿し水供給装置
６    紫外線ランプ
７    湿し水導入部
８    湿し水導出部
【図１】
2014162150.tif 000003
【図２】
2014162150.tif 000004